(57)【特許請求の範囲】
【請求項１】
ポーズコマンド時に、受信されたビデオ信号が記録媒体上に記録され、再開コマンド時に、前記記録されたビデオ信号が表示装置に提供され、その間、受信されたビデオ信号の記録が継続されるビデオ信号のタイムシフト表示の方法において、
前記記録中の更なるポーズコマンド時に、連続したポーズスタートインジケータが記憶され、更なる連続した再開コマンド時に、最新の又は連続した先行のポーズスタートインジケータから開始する記録されたビデオ信号が表示装置に提供され、
ライブコマンド時に、現在受信されたビデオ信号は前記表示装置に提供され、且つ、前記ポーズスタートインジケータが記憶され、更なる再開コマンド時に、該ポーズスタートインジケータから開始する前記記録されたビデオ信号が前記表示装置に提供されることを特徴とする方法。
【請求項２】
前記ポーズコマンド時に、前記表示装置に提供される最新の信号は、該表示装置に提供され続けることを特徴とする請求項１に記載の方法。
【請求項３】
ライブコマンド時に、現在受信されたビデオ信号は前記表示装置に提供され、更なるポーズスタートインジケータが記憶されることを特徴とする請求項１又は２に記載の方法。
【請求項４】
前記現在受信されたビデオ信号は、ピクチャインピクチャとしてポーズモード又はタイムシフト再生モード中に前記表示装置に表示されることを特徴とする請求項１から３のいずれか１項に記載の方法。
【請求項５】
最新のポーズスタートインジケータのみが記憶されることを特徴とする請求項１から４のいずれか１項に記載の方法。
【請求項６】
請求項１に記載の方法において、
前記ビデオ信号を受信するステップと、
前記ビデオ信号を前記表示装置に提供するステップと、
前記ポーズコマンドに応答して、
前記受信されたビデオ信号を前記記録媒体上に記録するステップと、
前記表示装置に置換信号を提供するステップと、
前記再開コマンドに応答して、
前記受信されたビデオ信号の記録を継続するステップと、
前記記録された信号を読み出すステップと、
前記読出し信号を前記表示装置に提供するステップと
を有し、
前記第１のポーズコマンドに応答して、
記録位置が第１のポーズスタートインジケータとして記憶され、
数値ｎが値１に設定され、且つ、数値ｍがｎに設定され、
前記更なるポーズコマンドに応答して、
現在用いられる読み出し位置がｎ番目に開始するインジケーションとして記憶され、
数値ｎが増大され数値ｍがｎに設定され、
前記再開コマンドに応答して、
前記数値ｍが、既に取られた値１である場合を除いて減少され、
ｍ番目に開始されるインジケーションで読出しが開始される
ことを特徴とする方法。
【請求項７】
表示装置で表示するために、テレビ番組に対応するビデオ信号をビデオ源から受信するための装置であって、
ビデオ信号入力と、
記録及び読出しユニットと、
ビデオ信号出力と、
前記ビデオ信号出力を、前記ビデオ信号入力又は前記記録及び読出しユニットに選択的に接続する切換ユニットと、
ポーズ、再開、及びライブコマンド用のコマンド入力を備えるユーザインターフェースとを有し、
前記「ポーズ」コマンド入力は、
前記切換ユニットに、前記ビデオ信号出力を前記ビデオ信号入力から切り離させ、且つ、該ビデオ信号入力と前記記録及び読出しユニットとを接続させ、
前記記録及び読出しユニットに記録を開始させ、
記録開始位置を指す前記ポーズスタートインジケータを記憶させ、
前記「再開」コマンド入力は、
前記切換ユニットに、前記ビデオ信号出力と前記記録及び読出しユニットとを接続させ、
前記記録及び読出しユニットに、記録を継続させ、且つ、開始インジケーションで読出しを開始させ、
前記「ライブ」コマンド入力は、
前記切換ユニットに、前記ビデオ信号出力と前記ビデオ信号入力とを接続させ、
前記記録及び読出しユニットに記録を継続させ、且つ、読出しを停止させ、
前記読出し停止位置を指す前記ポーズスタートインジケータを記憶させる
ことを特徴とする装置。
【発明の詳細な説明】
【技術分野】
【０００１】
本発明は、ポーズコマンド時に、受信されたビデオ信号が記録媒体上に記録され、再開コマンド時に、記録されたビデオ信号が表示デバイスに提供され、その間受信されたビデオ信号の記録が継続される、ビデオ信号のタイムシフト表示方法に関する。
【背景技術】
【０００２】
米国特許第６，１７２，７１２号は、ポーズ中にテレビ番組をハードディスク上に記憶しタイムシフト方法でハードディスクから再生することにより、テレビ番組をポーズ表示させ、後で表示を再開させることができる、ハードディスクドライブを備えたテレビについて詳述する。
【発明の開示】
【発明が解決しようとする課題】
【０００３】
本発明の目的は、タイムシフトビデオ表示機能を備える改良された装置を提供することである。
【課題を解決するための手段】
【０００４】
本発明によると、ポーズスタートインジケータはポーズコマンド受信時に記憶される。このポーズスタートインジケータは、読み出しが継続されるべき位置を指示し、表示がポーズされた位置で表示を再開することができるようにする。更なる再開コマンドが受信されると、記録されたビデオ信号の読み出しが、ポーズスタートインジケータにより指示される位置で開始する。連続したポーズスタートインジケータは、連続したポーズコマンド用に記憶され、再生は、連続した再開コマンドが与えられるとき、最後に記憶されたポーズスタートインジケータ又は先に記憶されたポーズスタートインジケータで再開されることが好ましい。これは、タイムシフト再生を連続的に中断させても、ユーザは、常に最新のポーズコマンドが与えられた位置で再生を開始できるという効果がある。又は、所望されるならば、先にいくつか与えられたポーズコマンドのうちの１つでもよい。ユーザが最後の又は先のポーズ開始位置を探すことは不要である。
【０００５】
表示装置に与えられる最新の信号は、ポーズコマンド時に表示装置に与えられ続けることが好ましい。そのような静止画は、現在、装置がタイムシフト記録モードであることをユーザに指示するという効果がある。
【０００６】
本発明のもう１つの特徴によると、ライブコマンドが提供される。該ライブコマンドは、記録を継続し、且つ、更なるポーズスタートインジケータを記憶しながら、受信されたビデオ信号が表示装置に直接提供されることにより、ライブコマンドが与えられた位置で再生を再開できるようにする。この解決策は、ポーズされたタイムシフト表示に素早く戻ることを可能にしたままで、例えばニュース、天気予報、宝くじなど、ライブモードで見ることが好ましい、現在受け取られた重要なプログラムにジャンプすることを可能にする。
【０００７】
現在受信された信号は、主画像が静止画等のポーズモード画像又はタイムシフトビデオ信号のとき、それぞれポーズモード又はタイムシフト再生モードで表示装置にピクチャインピクチャとして表示されることが好ましい。この場合、ユーザには、ユーザがライブコマンドを用いて切り換えることを所望するであろう重要な事項（event）が指示される。
【０００８】
最新のポーズスタートインジケータのみが記憶されることが好ましい。これは、単一のポーズスタートインジケータのみが記憶されれば良いという効果がある。このポーズスタートインジケータより先に記録された信号の上書きを許可して使用可能な記憶容量を増やしてもよい。ユーザに機能を説明するのが容易であるため、ユーザにとって使い易い。
【０００９】
タイムシフト表示のための方法は、タイムシフト記録中であってもライブ表示へ切り換え、且つ、ライブ表示への切り換えが生じた正確な位置でタイムシフト記録の表示に戻る機能を提供することが好ましい。これは、ユーザが、後でライブ表示が中断された位置を探すことなく、タイムシフト表示中にニュースショーなどのライブ表示に切り換えることを可能にするという効果がある。
【００１０】
本発明による方法は、異なるポーズスタートインジケータを区別するためにインデックスを用いることが好ましい。
【００１１】
本発明の装置は本発明の方法を実施する。
【００１２】
本発明による装置には、ビデオ信号入力と、記録及び読出しユニットと、ビデオ信号出力と、ビデオ信号出力、ビデオ信号入力並びに記録及び読出しユニットを相互に選択的に接続させる切換ユニットと、ポーズ、再開及びライブコマンド用のコマンド入力を備えたユーザインターフェースとが提供される。そのような装置においては、ポーズコマンドは、ビデオ信号出力とビデオ信号入力との接続を切り離すことと、ビデオ信号入力と記録及び読出しユニットとの接続と、記録手順の開始と、記録開始位置を示すポーズスタートインジケータの記憶とを始める。再開コマンドは、ビデオ信号出力の記録及び読出しユニットへの切換を提供し、また、記録及び読出しユニットに、記録を継続しながら開始インジケーションで読出しを開始させる。ライブコマンドは、切換ユニットにビデオ信号出力とビデオ信号入力とを接続するよう指示し、記録及び読出しユニットに記録を継続し読出しをポーズするよう指示し、読出し停止位置を示すポーズスタートインジケータの記憶を提供する。
【００１３】
本発明の更なる詳細及び効果は、図面を用いて以下に詳述される例示的な実施形態において示される。
【発明を実施するための最良の形態】
【００１４】
本発明の方法のフローチャートを示す図１において、いくつかのステップは本発明の趣旨からそれることなく省略されてもよい。方法は、ステップ１００より開始する。ステップ１０１は、ライブ信号の表示を提供し、受信されたビデオ信号ＶＳは表示装置に直接提供される。ステップ１０２では、ポーズコマンドが与えられたか否か確認される。与えられていなければ、ライブビデオ信号の表示が継続される。ポーズコマンドが受信されていれば、ステップ１０３では、受信されたビデオ信号の記録が開始され、記録が開始される位置を示すポーズスタートインジケータが記憶される。ステップ１０４では静止画が表示装置に提供される。
【００１５】
ステップ１０５では、ライブコマンドが受信されたか否か確認され、ステップ１０６では、再開コマンドが受信されたか否か確認される。他の選択肢として、１０５及び１０６のステップのうち１つは省略されてもよいが、この例示的な実施形態では両方について詳述される。これらのコマンドが受信されていなければ、静止画の表示が継続されステップ１０５及び／又は１０６が繰り返される。ステップ１０６で再開コマンドが受信されれば、ステップ１０７で記録が継続されポーズスタートインジケータにより示される位置で記録された信号の読出しが開始される。ステップ１０８では、読出し信号が表示装置に提供される。
【００１６】
ステップ１０９では、再開コマンドについて確認され、ステップ１１０では、ポーズコマンドについて確認され、ステップ１１１では、ライブコマンドについて確認される。ステップ１０５及び１０６と同様に、これらのいくつかは本発明の変形においては省略されてもよい。これは、ステップ１０９の「イエス」出力（ｙ）の点線により示され、該点線は、「ノー」出力（ｎ）に続くステップと同じステップにつながる。ステップ１０９、１１０、及び１１１のうち少なくとも１つが行われるが、それらの全てがここでは詳述される。
【００１７】
ステップ１０９で再開コマンドが検出されれば、ステップ１１２へと進む。ステップ１１２では、受信されたビデオ信号ＶＳの記録が継続され、ポーズスタートインジケータＰＳＩにより示される位置で、先に記憶されたビデオ信号の読出しが開始される。この後ステップ１０８へと継続される。
【００１８】
ステップ１１０でポーズコマンドが検出されるとステップ１１３へと進む。ステップ１１３では、受信されたビデオ信号ＶＳの記録が継続され、既に記憶されたビデオ信号の読出し手順が停止される。更に、読出しが停止された位置はポーズスタートインジケータＰＳＩとして記憶される。この後、ステップ１０４へと戻る。
【００１９】
ステップ１１１でライブコマンドが検出されると、ステップ１１４へと進む。ステップ１１４では、受信されたビデオ信号ＶＳの記録が継続され、読出し手順は停止され、読出し手順が停止された位置がポーズスタートインジケータＰＳＩとして記憶される。この後、ステップ１１５へと進む。
【００２０】
ステップ１１５は、ステップ１１４又はステップ１０５でのライブコマンドの検出に続く。ステップ１１５では、受信されたビデオ信号ＶＳはライブ表示用に表示装置に直接提供される。
【００２１】
ステップ１１６では、再開コマンドが受信されたか否か確認される。再開コマンドが受信された場合、ステップ１０７へと継続される。そうでなければ、ステップ１１７でポーズコマンドについて確認される。ステップ１１７もまた、点線で示されるように省略されてもよい。ステップ１１７でポーズコマンドが検出された場合、ステップ１１８へと継続される。ステップ１１８では、記録が継続され更なるポーズスタートインジケータＰＳＩ（ｎ）が記憶される。その後、ステップ１０４へと継続される。その場合、ステップ１０６で次の再開コマンドが検出されると、ポーズスタートインジケータＰＳＩ（ｍ）により指示されるライブ表示がポーズされた位置で、ステップ１０７の読出しが開始され、その間、ステップ１０９で検出された次の再開コマンドが、先に記録された、中断されたタイムシフト再生中のポーズスタートインジケータＰＳＩ（ｍ−１）で読出しを開始させる。このように、ユーザは、先に要求された異なる中断に戻ってジャンプすることができる。
【００２２】
ステップ１０２では、装置がライブ表示モードに入っていて以前の記録がないため、再開コマンド又はライブコマンドについて確認することは無意味である。しかし、先に、ユーザが例えば前の日又は前の週に、戻りたくなりそうなタイムシフト記録をしていることもある。この場合、ステップ１０２及び１０３の間で再開コマンド又はライブコマンドについて確認し、再開コマンド又はライブコマンドであれば、ステップ１１２又は１１４へと進むことが有効であることもある。この場合、ステップ１０１で、又はステップ１０１の前に既に記録を開始することが好ましい。
【００２３】
図２は、ポーズスタートインジケータＰＳＩの開始のフローチャートを示す。ステップ２００での開始後、ステップ２０１で装置が既に記録しているか否か検出される。その場合、ステップ２０２では、現在の読出し位置がポーズスタートインジケータＰＳＩ（ｎ）として記憶される。装置がまだ記録モードに入っていなければ、ステップ２０３で数値ｎはｎ＝１に設定される。その後ステップ２０４では現在の記録位置がポーズスタートインジケータＰＳＩ（ｎ）として記憶される。ステップ２０２又は２０４に続いてステップ２０５では数値ｎがｎ＝ｎ＋１まで増大され、第２の数値ｍは第１の数値ｎの値つまりｍ＝ｎに設定される。ポーズスタートインジケータＰＳＩ（ｎ）の記録はステップ２０６で停止する。記憶位置の最大数がある最大値Ｎに規定され、ｎ＞Ｎであるとき、この状況に対応するそれぞれの方法が考慮されねばならない。単一のポーズスタートインジケータＰＳＩのみが用いられる場合、ステップ２０３及び２０５は省略されてもよい。
【００２４】
図３は、ポーズスタートインジケータＰＳＩ（ｎ）の読出しのフローチャートを示す。ステップ３００での開始後、ｎが１より大きい値をとる場合、つまりｎ＞１の場合、ステップ３０１では数値ｎは１からｎ＝ｎ−１まで減少し、でなければ、数値ｎは値１、つまりｎ＝１に設定される。これの後ステップ３０２で、数値ｎに関連するポーズスタートインジケータＰＳＩ（ｎ）が読み出される。ステップ３０３で、ポーズスタートインジケータＰＳＩ（ｎ）の読出しが終了する。ここでも、単一のポーズスタートインジケータのみが用いられる場合、ステップ３０１は省略される。また、数値ｎについて最大数Ｎが存在する場合、対応する方法が取られねばならない。
【００２５】
図４は、ライブ表示のフローチャートを示す。ステップ４００での開始後、ステップ４０１で読出しが継続される。また、ピクチャインピクチャビューを表示するために、表示装置に提供される受信された信号に、読出し信号の小さな画像が付加される。サブルーチンはステップ４０２で終了する。もちろん、ピクチャインピクチャの特徴が実施されなければ、ステップ４０１は、受信された信号を表示装置に提供するためだけのステップとなる。
【００２６】
図５は、ピクチャインピクチャ機能を備えた読出し信号の表示のフローチャートを示す。ステップ５００での開始後、ステップ５０１では、受信されたライブ信号の小さなイメージが記憶装置から読み出された信号に加えられる。結合された信号は、ピクチャインピクチャ表示のために表示装置に提供される。このサブルーチンはステップ５０２で終了する。
【００２７】
図６は、ピクチャインピクチャ機能を備えた静止画の表示のフローチャートを示す。ステップ６００での開始後、ステップ６０１では、受信された信号の小さな画像が静止画像に加えられる。この結合された信号は、ピクチャインピクチャ表示のための表示装置に提供される。このサブルーチンはステップ６０２で終了する。
【００２８】
図７は、本発明による装置７を示す。ビデオ源（図示無し）から受信されたビデオ信号ＶＳは、ビデオ信号入力１で受信される。受信されたビデオ信号ＶＳは、切換ユニット４を介して記録及び読出しユニット（２）並びに／又はビデオ信号出力３に提供される。装置７は、ポーズＰ用のコマンド入力と、再開Ｒのためのコマンド入力と、Ｌのためのコマンド入力とを有するユーザインターフェース５とを備える。これらのコマンド入力Ｐ、Ｒ、Ｌは、ユーザインターフェース１にボタンとして指示されている。ユーザインターフェース１は、装置７に対して固定されるか、又は、遠隔操作として固定されずに配置される。ユーザインターフェース５を介して受信されるコマンドに依存して、切換ユニット４は、ビデオ信号出力３を、表示装置６に提供される適切な信号に接続する。表示装置６は、装置６の内蔵部分又はテレビセットのような分離した表示装置であってもよい。
【００２９】
メモリ８はユーザインターフェース５の出力と記録及び読出しユニット２とに接続されることによりポーズ、再開、又はライブコマンドを受信し、且つ、記録又は読出しユニット２からそれぞれのポーズスタートインジケータＰＳＩ（ｎ）を受信するか又は該記録又は読出しユニット（２）にそれぞれのポーズスタートインジケータＰＳＩ（ｎ）を提供する。記録及び読出しユニット（２）に提供されるインジケータＰＳＩ（ｎ）がメモリ８の記憶から読み出される間、受信されたインジケータＰＳＩ（ｎ）が記憶される。
【００３０】
切換ユニット４は、ここではスイッチ４１、４２、４３により示され、信号切換機能を備える。メモリ４０もまた切換ユニット４の一部として示されるが、このメモリ４０は、切換ユニット４と分離して配置されるか、完全に省略されてもよい。第１のスイッチ４１は、メモリ４０の入力とビデオ信号入力１とを接続したり切り離したりするために提供される。第２のスイッチ４２は、記録及び読出しユニット２の入力とビデオ信号入力とを接続したり切り離したりするために提供される。第３のスイッチ４３は、装置７のビデオ信号出力３をメモリ４０の出力又は記録及び読出しユニット２の出力とに接続するために提供される。装置７の電源を入れるとき、開始の形状は、スイッチ４１がメモリ４０の入力とビデオ信号入力１とを接続し、第３のスイッチ４３がビデオ信号出力３とメモリ４０の出力とを接続する。第２のスイッチ４２は、記録及び読出しユニット２が記録しない限り接続が切れた状態でもよく、そうでなければ、記録及び読出しユニット２の入力とビデオ信号入力１とを接続する。しかし、スイッチ４２はまた、記録及び読出しユニット２の条件により、ユニット２が記録モードであるか否かに関わらず、接続状態であってもよい。ライブＬのためのコマンド入力の作動後、同様の、スイッチ４１及び４３についてのスイッチ形状並びにスイッチ４２の接続状態が取られる。ポーズＰのためのコマンドが作動した場合、メモリ４０の入力はビデオ信号入力１から切り離され、第２のスイッチ４２が記録及び読出しユニット２の入力をビデオ信号入力１に接続する。この場合、ユニット２は受信されたビデオ信号ＶＳを記録し、最後に表示されたビデオ信号がメモリ４０に保持され、ビデオ信号出力３に提供される。再開Ｒの入力のためのコマンドが作動すると、スイッチ４１は、メモリ４０の入力をビデオ信号入力から切り離し、第２のスイッチ４２は、記録及び読出しユニット２の入力とビデオ信号入力１とを接続し、スイッチ４３は、ビデオ信号出力３と記録及び読出しユニット２の出力とを接続する。この場合、ユニット２は、先に記録されたビデオ信号を読み出したり出力したりするだけでなく受信されたビデオ信号ＶＳの記録も行う。ここでは図示されないが、この場合、ユニット２の出力はまた、メモリ４０の入力に提供され、その後のポーズコマンド時に静止画を提供することが好ましい。
【００３１】
記録及び読出しユニット２は、ハードディスクドライブ、又は、記録可能光ディスクのような、光記憶媒体からの読出し及び該光記録媒体への記録のための装置であることが好ましい。
【００３２】
言い換えると、本発明は、次の課題を解決する。現在の、ハードディスクドライブ装置のようなパーソナル・ビデオ・レコーダは、ポーズモードに入り、ポーズモードが始動された時点で再生を再開させることができる。本発明は、このタイムシフトモードをポーズさせライブモードに戻りタイムシフトモードを再開させることができる。例えば、５分間の生中継ニュース放送を見るときに、ポーズしてタイムシフトモードに戻ることができれば便利である。よって、本発明によると、「ポーズ」及び「戻る」ボタンに加えて「ライブ」ボタンを備えるＰＶＲの提供が提案される。「ライブ」ボタンにより常にライブ表示になるが、タイムシフト記録時の再開ポイントは、そこで開始された場合、保たれる。「戻る」ボタンが押された場合、タイムシフトモードが再開ポイントで開始される。これは、ユーザにとってより使いやすくなる。
【図面の簡単な説明】
【００３３】
【図１】本発明の方法のフローチャートである。
【図２】ポーズスタートインジケータを記憶するフローチャートである。
【図３】ポーズスタートインジケータを読み出すフローチャートである。
【図４】ライブ表示のフローチャートである。
【図５】読出し信号の表示のフローチャートである。
【図６】静止画の表示のフローチャートである。
【図７】本発明による装置を示す図である。
【符号の説明】
【００３４】
１  ビデオ信号入力
２  記録及び読出しユニット
３  ビデオ信号出力
４  切換ユニット
５  ユーザインターフェース
６  表示装置
７  装置
８、４０  メモリ
４１、４２、４３  スイッチ
【図１】
0004684600.tif 000002
【図２】
0004684600.tif 000003
【図３】
0004684600.tif 000004
【図４】
0004684600.tif 000005
【図５】
0004684600.tif 000006
【図６】
0004684600.tif 000007
【図７】
0004684600.tif 000008